(57)【特許請求の範囲】
【請求項１】
中にネットを張った環状の枠の少なくとも左右両側において、前記枠の２分の１の高さより下寄りの位置を水平軸で支柱に支持し、かつ前記枠の下端を１以上の引っ張りバネで常時下向きに引っ張った構造の防風ネット装置。
【請求項２】
前記枠の下側に、素通し空間を介在させ、この空間に前記引っ張りバネを設けてあることを特徴とする請求項１に記載の防風ネット装置。
【請求項３】
前記素通し空間の下側に固定構造のネットを張り、前記素通し空間もネットで塞ぐが、このネットは、前記引っ張りバネの邪魔にならないように緩く張ってあることを特徴とする請求項１又は請求項２に記載の防風ネット装置。
【請求項４】
中にネットを張った環状の枠の少なくとも左右両側において、前記枠の２分の１の高さより下寄りの位置を水平軸で支柱に回動可能に支持し、かつ前記枠の下端を１以上の引っ張りバネで常時下向きに引っ張ることで、到来する風に応じて前記引っ張りバネの力に抗して前記枠の回動が可変し、異なる向きに風を反らすことを特徴とする防風ネットによる防風方法。
【発明の詳細な説明】
【技術分野】
【０００１】
本発明は、施設園芸などにおいて、農作物や設備などに強風が当たるのを防ぐ防風ネット装置に関する。
【背景技術】
【０００２】
特許文献１によると、風速値とネット下降の協働の制御範囲を超えた強風が生じたときは、その強風によりネットを吊っているワイヤー接続具、またはネットの横ワイヤーを支持するネット接続具の少なくとも一方を破壊させ、風荷重を低減してネットの下降ができ、支柱やネットを保護することが可能である。
【先行技術文献】
【特許文献】
【０００３】
【特許文献１】特開２００４−１００３５０
【発明の概要】
【発明が解決しようとする課題】
【０００４】
しかしながら、特許文献１のように、支柱やネットを保護するためとは言え、風荷重を低減してネットの下降ができるように、ネットを吊っているワイヤー接続具、またはネットの横ワイヤーを支持するネット接続具の少なくとも一方を破壊させるのは、設備の一部を破壊しなければならないので、好ましくない。
本発明の技術的課題は、このような問題に着目し、強風が到来すると、設備や作物が破壊されないようにその強風によってネット装置が回動して、強風を反らすように作用させることにある。
【課題を解決するための手段】
【０００５】
請求項１は、中にネットを張った環状の枠の少なくとも左右両側において、前記枠の２分の１の高さより下寄りの位置を水平軸で支柱に支持し、かつ前記枠の下端を１以上の引っ張りバネで常時下向きに引っ張った構造の防風ネット装置である。環状の枠であれば、四角形でも、四角形以外でもよい。
【０００６】
請求項２は、前記枠の下側に、素通し空間を介在させ、この空間に前記引っ張りバネを設けてあることを特徴とする請求項１に記載の防風ネット装置である。
【０００７】
請求項３は、前記素通し空間の下側に固定構造のネットを張り、前記素通し空間もネットで塞ぐが、このネットは、前記引っ張りバネの邪魔にならないように緩く張ってあることを特徴とする請求項１又は請求項２に記載の防風ネット装置である。
【０００８】
請求項４は、中にネットを張った環状の枠の少なくとも左右両側において、前記枠の２分の１の高さより下寄りの位置を水平軸で支柱に回動可能に支持し、かつ前記枠の下端を１以上の引っ張りバネで常時下向きに引っ張ることで、到来する風に応じて前記引っ張りバネの力に抗して前記枠の回動が可変し、異なる向きに風を反らすことを特徴とする防風ネットによる防風方法である。
【発明の効果】
【０００９】
請求項１のように、中にネットを張った環状の枠の少なくとも左右両側を、水平軸で支柱に支持しただけでは安定しないが、前記枠の下端を１以上の引っ張りバネで常時下向きに引っ張った構造にすると、無風時や風が弱い時は、ネットが張られた枠は立った状態になる。強い風が到来すると、前記ネットで遮られるので、風力は弱くなり、前記ネットより風下側の植物や施設が保護される。同時に、前記支持部より上側が、より強い風圧を受けるのが普通で、引っ張りバネのバネ力に抗して、風圧に応じて倒され、その結果、風は上側に反らされる。従って、設備の一部が破壊されるようなことは無い。
しかも、設置する土地の地形や風上に有る建造物や防風林などによっては、高いほど風圧が強いという原理が通用しないことも考慮して、前記枠の２分の１の高さより下寄りの位置を支柱に支持して、上側の面積を大きくして始めて、上側が確実に風圧で押し倒される。
【００１０】
請求項２のように、前記枠の下側に、素通し空間を介在させ、この空間に前記引っ張りバネを設けてある。すなわち、段落[0017]に明記のように、四角枠ｆの下側は、素通し空間１３が有るので、引っ張りバネｓの邪魔になることも無く、四角枠ｆが風速に応じて押し倒されて、風を上側に反らす。
【００１１】
請求項３のように、前記素通し空間の下側に固定構造のネットを張り、前記素通し空間もネットで塞ぐが、このネットは、前記引っ張りバネの邪魔にならないように緩く張ってある。すなわち、段落[0017]の末尾に明記してあるように、空間１３を素通しにするのでなく、引っ張りバネｓの邪魔にならないように緩くネット１７を張っておき、防風ネット効果を得ることもできる。また、段落[0016]の末尾に明記してあるように、四角枠ｆの下側は、３０ｃｍ程度の素通し空間１３を置いてネットＮを地面まで張ってある。更に詳述すると、正面側の支柱バー材６・６に、水平バー１４、１５、１６を取付け、これらを利用してネットＮを取付けてある。なお、空間１３は、地形などに応じて任意に間隔を変えられる。
【００１２】
請求項４のように、中にネットを張った環状の枠の少なくとも左右両側において、前記枠の２分の１の高さより下寄りの位置を水平軸で支柱に回動可能に支持し、かつ前記枠の下端を１以上の引っ張りバネで常時下向きに引っ張ることで、到来する風に応じて前記引っ張りバネの力に抗して前記枠の回動が可変し、異なる向きに風が反らされる。従って、段落[0019]に明記されているように、強風が到来しても施設や作物が損傷しないように、その強風によってネット装置が回動して、強風を反らすように作動するので、破壊されたり、損傷する恐れはない。しかも、強風によって自動的に四角枠が倒れて強風が反れ強風対策が行われる、簡便な装置である。
【図面の簡単な説明】
【００１３】
【図１】本発明による防風ネット装置の実施形態を示す斜視図である。
【図２】四角枠の支柱への取付け部を示す拡大斜視図である。
【図３】図１の防風ネット装置を列状に立設して使用する状態を示す正面図である。
【発明を実施するための形態】
【００１４】
次に本発明による防風ネット装置が実際上どのように具体化されるか実施形態を詳述する。図１は、本発明による防風ネット装置の１組を示す斜視図であり、高さが４ｍの例である。上枠１、下枠２、左側の枠３及び右側の枠４より成る四角形の枠ｆの中にネットｎ例えば１ｍｍ目合いの防虫ネットを張ってある。
左側の縦枠３と右側の縦枠４との間には、補強用の中枠５を設けてあるが、複数本設けてもよいし、上枠１と下枠２との間にも、水平方向の補強枠を１以上設けてもよい。
【００１５】
このような四角形枠ｆの例えば真ん中に水平軸ａを渡し、左右を、図２のように軸受けｂを介して左右の縦枠３、４にＵ状金具ｕで取付け、軸受けｂから突出した先端ｅを支柱に固定してある。
図示の支柱は、２本のバー材６、７を逆Ｖの字状に連結して、安定良くした構造であり、その上端の水平連結部材８に前記水平軸ａの先端ｅを取付けてある。従って、ネットｎを水平軸ａに風圧で押し付ける方向の風が吹いた場合は、水平軸ａでネットｎが支持される。９は、下端寄りの連結材であり、水平になっている。
【００１６】
左右の支柱の連結材９、９間に取付けた水平バー１０には、長さ調節用のターンバックル１１を付きのフック１２を介して引っ張りバネｓを取付けてある。この引っ張りバネｓの上端は、下枠２に取付けてある。従って、前記枠ｆの下端を３本の引っ張りバネｓで常時下向きに引っ張っている。その結果、ネット張りの四角枠ｆは鉛直に立っている。
四角枠ｆの下側は、３０ｃｍ程度の素通し空間１３を置いてネットＮを地面まで張ってある。更に詳述すると、正面側の支柱バー材６・６に、水平バー１４、１５、１６を取付け、これらを利用してネットＮを取付けてある。なお、空間１３は、地形などに応じて任意に間隔を変えられる。
【００１７】
このような構造の防風ネット装置を図３のように列状に立設して、作物や施設を囲んだり、風上に設けると、図１の左側から強風が吹くものとすると、強い引っ張りバネｓを使用したとしても、７０ｍの台風でも３０ｃｍ程度しか四角枠ｆは倒れない。
このとき、四角枠ｆの下側は、素通し空間１３が有るので、引っ張りバネｓの邪魔になることも無く、四角枠ｆが風速に応じて押し倒されて、風を上側に反らす。また、乱流が生じたりしても、各四角枠ｆが独立して押し倒されるので、防風ネット装置全体としても円滑に作動できる。
空間１３が有ると、風は素通しのため、遠くまで届くが、空間１３は上下の間隔が狭いので、強風による被害は生じない。
空間１３を素通しにするのでなく、引っ張りバネｓの邪魔にならないように緩くネット１７を張っておき、防風ネット効果を得ることもできる。
【００１８】
図示例は、前記四角枠ｆの２分の１の高さの位置を前記水平軸ａで支柱に支持しているが、四角枠ｆの上寄りが相対的に大きくなるように、前記四角枠ｆの２分の１の高さより下寄りの位置を水平軸ａで支柱に支持することもできる。なお、四角枠ｆを例示したが、枠ｆの外形は四角形に限られない。
また、逆Ｖ字状の支柱は一例であって、これに限定されない。各ネットｎ、Ｎ、１７の目合いは自由であり、それぞれ異なる目合いでも差し支えない。
【産業上の利用可能性】
【００１９】
以上のように、強風が到来しても施設や作物が損傷しないように、その強風によってネット装置が回動して、強風を反らすように作動するので、破壊されたり、損傷する恐れはない。しかも、強風によって自動的に四角枠が倒れて強風が反れ強風対策が行われる、簡便な装置である。
【符号の説明】
【００２０】
ｆ  四角枠
ａ  水平軸
ｂ  軸受け
ｅ  先端
ｎ・Ｎ  ネット
ｓ  引っ張りバネ
１３  素通し空間
【図１】
0005939517.tif 000002
【図２】
0005939517.tif 000003
【図３】
0005939517.tif 000004